(57)【特許請求の範囲】
【請求項１】
体毛をカットする刃部を長手方向の先端部に設けた本体部と、
前記本体部に、当該本体部の長手方向に沿ってスライド可能、かつ回動可能に装着された把持部と、
前記本体部と前記把持部とを多段階の角度で相互に係合して各角度で保持可能とする角度調整機構とを備え、
前記角度調節機構は、外周に歯車状の凹凸部を形成したクリックギアと、前記凹凸部の凹部に係合する凸部を有したクリック板とを有し、前記クリック板の凸部を前記凹凸部のいずれかの凹部に係合させることで、前記本体部と前記把持部とを最大保持角度から最小保持角度に亘って段階的に保持可能としており、且つ、
前記クリックギアの凹凸部を所定範囲に亘って切除することによって荷重逃がし部を形成し、
前記角度調節機構により前記本体部と前記把持部とを最大保持角度で保持した状態で前記本体部および前記把持部に相対回動方向に荷重が作用した際に、前記角度調節機構の回動軸から相互に係合する部分までの間の少なくとも一部が弾性変形して、前記クリック板の凸部が前記荷重逃がし部に移動し、前記本体部と前記把持部とが相対的に開く方向に前記角度調節機構による係合状態を解除できるようにしたことを特徴とする電動除毛器。
【請求項２】
前記本体部と前記把持部とは、当該本体部および把持部の装着状態で長手方向に沿って湾曲した略アーチ状に形成されるとともに、
前記荷重逃がし部により、前記本体部と前記把持部とを逆折れ状に相対回動できるようにしたことを特徴とする請求項１に記載の電動除毛器。
【請求項３】
前記把持部の前記本体部に対する回動を、本体部および把持部が最も伸長した状態でのみ許容するように構成したことを特徴とする請求項１または２に記載の電動除毛器。
【請求項４】
前記本体部のうち前記先端部に対して長手方向他方側となる部分の表面に略平面状の載置面を形成するとともに、
前記本体部と前記把持部とを所定角度回動させた状態で、当該把持部の回動軸から離間した部分の表面を前記載置面に沿う位置に配置して接触部を形成し、
前記載置面および前記接触部を台座となる平坦面上に接触させて、前記本体部を立てた姿勢で、当該平坦面上に載置できるようにしたことを特徴とする請求項１〜３のうちいずれか一つに記載の電動除毛器。
【請求項５】
前記把持部は、前記本体部の短手方向両側に配置される両側部と、それら両側部の引き出し方向先端側を連結する連結部とを有し、それら両側部と連結部とが、本体部の外周に沿う略Ｕ字状に形成されていることを特徴とする請求項１〜４のうちいずれか一つに記載の電動除毛器。
【発明の詳細な説明】
【技術分野】
【０００１】
本発明は、体毛を除去するための電動除毛器に関する。
【背景技術】
【０００２】
従来、電気カミソリなどの電動除毛器では、把持部も兼ねる本体部の先端部に体毛をカットする刃ブロック部を設けてある。本体部の内部には、刃を駆動させるためのモータ、モータの駆動を伝達するための駆動子、ならびにモータを駆動させるための電池ブロック等が収容されており、スイッチをＯＮ操作することでモータを駆動させ、刃を動かして除毛できるようになっている。
【０００３】
一方、手動式の安全カミソリには、本体部を屈曲可能に構成したり、伸縮可能に構成したりすることで、使用時においては利用者が使いやすい形状になり、使用後にはコンパクトに収納できるようにしたものが知られている（例えば、特許文献１参照）。
【特許文献１】特開２００７−１０５０７７号公報
【発明の開示】
【発明が解決しようとする課題】
【０００４】
しかしながら、上記従来の電動除毛器では、本体部の内部にモータや、駆動子、電池ブロック等を収納する関係上、把持部を兼ねる本体部を伸縮自在に構成することが困難であった。すなわち、従来の電動除毛器の本体部は比較的短い長さで固定されているため、手の届かないあるいは届きにくい場所での体毛の除去は行い難くなっていた。
【０００５】
そこで、本発明は、より使い勝手を向上させることが可能な電動除毛器を得ることを目的とする。
【課題を解決するための手段】
【０００６】
請求項１の発明にあっては、体毛をカットする刃部を長手方向の先端部に設けた本体部と、上記本体部に、当該本体部の長手方向に沿ってスライド可能、かつ回動可能に装着された把持部と、上記本体部と上記把持部とを多段階の角度で相互に係合して各角度で保持可能とする角度調整機構とを備え、上記角度調節機構は、外周に歯車状の凹凸部を形成したクリックギアと、上記凹凸部の凹部に係合する凸部を有したクリック板とを有し、上記クリック板の凸部を上記凹凸部のいずれかの凹部に係合させることで、上記本体部と上記把持部とを最大保持角度から最小保持角度に亘って段階的に保持可能としており、且つ、上記クリックギアの凹凸部を所定範囲に亘って切除することによって荷重逃がし部を形成し、上記角度調節機構により上記本体部と上記把持部とを最大保持角度で保持した状態で上記本体部および上記把持部に相対回動方向に荷重が作用した際に、上記角度調節機構の回動軸から相互に係合する部分までの間の少なくとも一部が弾性変形して、上記クリック板の凸部が上記荷重逃がし部に移動し、上記本体部と上記把持部とが相対的に開く方向に上記角度調節機構による係合状態を解除できるようにしたことを特徴とする。
【０００７】
請求項３の発明にあっては、上記把持部の上記本体部に対する回動を、本体部および把持部が最も伸長した状態でのみ許容するように構成したことを特徴とする。
【００１０】
請求項４の発明にあっては、上記本体部のうち上記先端部に対して長手方向他方側となる部分の表面に略平面状の載置面を形成するとともに、上記本体部と上記把持部とを所定角度回動させた状態で、当該把持部の回動軸から離間した部分の表面を上記載置面に沿う位置に配置して接触部を形成し、上記載置面および上記接触部を台座となる平坦面上に接触させて、上記本体部を立てた姿勢で、当該平坦面上に載置できるようにしたことを特徴とする。
【００１１】
請求項５の発明にあっては、上記把持部は、上記本体部の短手方向両側に配置される両側部と、それら両側部の引き出し方向先端側を連結する連結部とを有し、それら両側部と連結部とが、本体部の外周に沿う略Ｕ字状に形成されていることを特徴とする。
【発明の効果】
【００１２】
請求項１の発明によれば、利用者が本体部および把持部を適宜な長さや角度に変化させることができて、電動除毛器の使い勝手を向上させることができる。また、相対角度を多段階に可変設定できるようになる分、使い勝手をより一層向上することができる。また、荷重が作用したときに角度調整機構によって相互に係合する部分が壊れるのを抑制することができる。
【００１３】
請求項３の発明によれば、刃部を把持部から離隔した状態で本体部と把持部との相対角度を可変設定することができる。
【００１６】
請求項４の発明によれば、本体部と把持部とを相対的に屈曲させた状態で、電動除毛器を平坦面上に載置することができる。
【００１７】
請求項５の発明によれば、把持部のＵ字状に形成した部分を、フックとして利用できるようになる。
【発明を実施するための最良の形態】
【００１８】
以下、本発明の実施形態について図面を参照しながら詳細に説明する。図１〜図１５は本発明にかかる電動除毛器の一実施形態を示している。このうち、図１は、電動除毛器の正面図、図２は、電動除毛器の側面図、図３は、図１中III−III線に沿った断面図、図４は、把持部と正面カバーを外した電動除毛器の正面図、図５は、把持部と正面カバーを外した電動除毛器の側面図である。
【００１９】
また、図６は、把持部を最も大きく引き出した状態での電動除毛器の正面図、図７は、把持部を最も大きく引き出した状態での電動除毛器の側面図、図８は、図７中VIII−VIII線に沿った断面図、図９は、把持部の正面図、図１０は、図９中X−X線に沿った断面図、図１１は、角度調整機構の断面図である。
【００２０】
さらに、図１２は、把持部を最も大きく回動させた状態での電動除毛器の斜視図、図１３は、把持部を最も大きく回動させた状態での電動除毛器の側面図、図１４は、荷重逃がし部の作動状態での電動除毛器の側面図、図１５は、荷重逃がし部の作動状態を示す角度調整機構の断面図である。
【００２１】
図１および図２に示すように、本実施形態にかかる電動除毛器１は、体毛をカットする刃部としての刃ブロック２を長手方向（図中上下方向）の先端部に設けた本体部３を備えている。本体部３は長手方向に緩やかに略一定の円弧上に沿って湾曲形成してあり、これに伴って本体部３の両側に配置した把持部４も同方向に湾曲している。なお、便宜上、本実施形態では、湾曲形成した本体部３の径内側を正面側、径外側を背面側と規定する。
【００２２】
刃ブロック２は、長い毛をカットするための櫛状のトリマー刃２Ｔと、このトリマー刃２Ｔで短くした毛を仕上げるためのネット刃２Ｎと、を有している。ネット刃２Ｎは刃ブロック２の先端に固定的に突出している。一方、トリマー刃２Ｔは、刃ブロック２の正面側に配置したトリマーハンドル２Ｈを上下操作することにより、刃ブロック２の先端から出没するようになっている。
【００２３】
本体部３の内部には、図３に示すように、トリマー刃２Ｔおよびネット刃２Ｎを駆動させるためのモータ５を設置してある。モータ５の先端には偏芯カム５ａを介して駆動子５ｂを偏心状態で取り付けて、モータ５の回転運動を駆動子５ｂを往復運動に変換するようになっている。また、本体部３の内部には、モータ５を駆動するための電池ブロックＢも収容されている。
【００２４】
そして、駆動子５ｂの先端に、ネット刃２Ｎの内刃２Ｎａを取り付け、この内刃２Ｎａがネット刃２Ｎと摺動して毛をカットするようになっている。また、駆動子５ｂの途中には、トリマー刃２Ｔに駆動力を伝達する為のトリマー駆動子２Ｔａを配置してある。
【００２５】
本体部３の正面側のほぼ中央部にはスイッチハンドル６を設けてある。このスイッチハンドル６は本体部３の正面カバー３Ｃにフックにて係合して長手方向に往復移動し、電気的にオン・オフを切り換えるようになっている。
【００２６】
ここで、本実施形態にかかる電動除毛器１では、本体部３に対して把持部４を別体に設け、その把持部４を本体部３に対して長手方向に沿って伸縮するようにスライド可能、かつ回動可能に装着してある。
【００２７】
把持部４は、図９に示すように、本体部３の短手方向両側（短手方向両端側、正面視で左右両側）となる両側部４Ｓ１，４Ｓ２と、それら両側部４Ｓ１，４Ｓ２の引き出し方向の先端側を連結した連結部４Ｃと、によって本体部３の外周に沿ったほぼＵ字状に形成してある。
【００２８】
図４および図５に示すように、本体部３の図中下方に位置する底部３Ｂの両側には、スライドロック釦７を中心として回動する回動基台９を設けてある。また、本体部３の側面には、把持部４をスライドさせるためにレール溝１０を設置してあるとともに、回動基台９にもレール溝１０の延長上にレール溝１０Ａを設置してある。
【００２９】
一方、把持部４の両側部４Ｓ１，４Ｓ２の内面には、図１０に示すように上述したレール溝１０，１０Ａにスライド自在に係合するレール１１を形成してある。このレール１１をレール溝１０，１０Ａに挿入することにより、図１および図２に示すように把持部４が本体部３の両側に配置され、レール溝１０，１０Ａに沿ってレール１１をスライドさせることで、把持部４が本体部３の長手方向に沿って移動できるようになっている。かくして、本体部３と把持部４とが全体的に伸縮する構成が得られる。なお、図１および図２は短縮状態を示し、図６および図７は伸長状態を示している。
【００３０】
また、図１０に示すように、レール１１の内側には、スライドロック釦７に係脱自在に嵌合する複数のレール凹部１１ａ、１１ｂ、１１ｃを長手方向に適宜間隔をもって設けてある。図８に示すように、スライドロック釦７は内面にコイルばね７ａを有しており、スライドロック釦７を常に外側に押し出す（付勢する）ように設定されている。これにより、スライドロック釦７はその先端部分を回動基台９に設けたレール溝１０Ａに開けた穴から常に突出させてある。そして、スライドロック釦７の先端突出部７ｂは、把持部４のスライド位置に応じてレール凹部１１ａ，１１ｂ，１１ｃに順次嵌合するようになっている。
【００３１】
つまり、本体部３および把持部４が最も縮んだ状態では、スライドロック釦７の先端突出部７ｂがレール凹部１１ａと嵌合した状態になる。この状態で把持部４を伸長方向に引っ張ると、スライドロック釦７の先端突出部７ｂとレール凹部１１ａとの係合が外れて、スライドロック釦７の先端突出部７ｂを押し込みつつ把持部４のスライドが可能となる。
【００３２】
そして、把持部４のスライドに伴って次のレール凹部１１ｂがスライドロック釦７に位置すると、コイルばね７ａの付勢力でスライドロック釦７の先端突出部７ｂが突出してレール凹部１１ｂに嵌合し、把持部４を固定することができる。さらに、同様にして把持部４が本体部３から最も引き出されたでは、スライドロック釦７の先端突出部７ｂがレール凹部１１ｃに嵌合して把持部４を固定することができる。
【００３３】
レール１１は本体部３側のレール溝１０および回動基台９側のレール溝１０Ａの双方に嵌合されているが、図６および図７に示すように、本体部３および把持部４が最も長く伸長した状態（把持部４が本体部３から最も大きく引き出された状態）、つまり、スライドロック釦７とレール凹部１１ｂとが係合した状態では、レール１１がレール溝１０から外れてレール溝１０Ａのみに係合した状態となる。
【００３４】
したがって、本体部３および把持部４が最も長く伸長した状態でのみ回動基台９の回動が可能となり、図１２および図１３に示すように、本体部３と把持部４とをＶ字状に屈曲させることができる。このときの回動の中心を、図中、回動軸Ａｘと記す。
【００３５】
そして、図１１に示すように、把持部４の回動部となる回動基台９には、把持部４の回動可能範囲内において多段階の回動固定を可能とする角度調整機構１２を設けてある。この角度調整機構１２は、回動基台９と一体に回転して外周に歯車状の凹凸部１３ａを形成したクリックギア１３と、本体部３側に設けられてクリックギア１３の凹凸部１３ａに回転抵抗を付加する板ばね状のクリック板１４と、を有している。クリック板１４の中央部にはクリックギア１３の凹凸部１３ａに係合する凸部１４ａを形成し、この凸部１４ａが凹凸部１３ａの１つに係合することにより、所定の抵抗力をもって回動基台９の回転を阻止できるようになっている。
【００３６】
そして、把持部４に所定の抵抗力以上の回転力を回動基台９に付加することにより、凹凸部１３ａからクリック板１４の凸部１４ａを押し出しつつクリックギア１３の回転が許容され、これにより把持部４の回動角を変化させることができる。
【００３７】
凹凸部１３ａは把持部４の回動許容範囲に対応して形成してあり、クリックギア１３には凹凸部１３ａの両端部に形成した段差部１３ｂ，１３ｃが、本体部３側に形成したストッパー部３ｐ１，３ｐ２に当接することにより把持部４の回動が停止し、それ以上の回動ができないようになっている。
【００３８】
また、本実施形態では、本体部３は長手方向に緩やかに湾曲しており、図７に示すように、回動基台９の角度調整機構１２には、把持部４が本体部３の長手方向にスライドして全体として湾曲状に伸長した状態にあるときに、回動基台９に作用する一定以上の荷重に対して、本体部３と把持部４とを開く方向に固定解除する荷重逃がし部１５を設定してある。
【００３９】
すなわち、この荷重逃がし部１５は、図１１に示すように、クリックギア１３の凹凸部１３ａを所定範囲に亘って切除することによって設定してある。つまり、荷重逃がし部１５は、把持部４が伸長した状態（図７参照）から把持部４が開き方向に回動させた状態（図１４参照）までの範囲で、クリック板１４の凸部１４ａに対応した凹凸部１３ａを切除して形成されている。
【００４０】
このような構成により、通常に把持部４を伸ばした状態でクリック板１４の凸部１４ａが係合する凹凸部１３ａの山を乗り越えた後は把持部４がフリーとなり、図１５に示すように、クリックギア１３の他方の段差部１３ｃがストッパー部３ｐ２に当接するまでは、把持部４が抵抗無く屈曲できることになる。
【００４１】
本体部３および把持部４が最も大きく伸長して略アーチ状となった状態、つまり、図７中左側が下に配置される状態で電動除毛器１を台座となる平坦面（棚などの上面）上に置いてあるときに、不意にアーチの中央部に荷重が掛かると、荷重の全てを把持部４の先端Ｐ１と刃ブロック２の先端Ｐ２との２点で荷重を受けることになる。このとき、本実施形態では、回動基台９に荷重逃がし部１５を設けてあるため、図１４に示すように本体部３と把持部４とが逆折れ状に開いて、本体部３の底部３Ｂの角部が平面台に接触して荷重を受けることができる。
【００４２】
さらに、本実施形態では、図１３に示すように、本体部３のうち先端部（すなわち刃ブロック２を設けた部分）に対して長手方向他方側となる底部３Ｂの表面に略平面状の載置面３Ｆを形成し、把持部４の回動状態で当該載置面３Ｆに沿った延長面Ｅ上に把持部４の回動軸Ａｘから離間した部分（本実施形態では先端部４Ｔ）の１点を配置し、これを接触部４Ｐとしてある。なお、本実施形態では、本体部３および把持部４を最も大きく回動させた状態で、上述した載置面３Ｆの延長面Ｅ上に把持部４の先端部４Ｔを配置してある。
【００４３】
したがって、電動除毛器１で背中などのむだ毛処理を行う際などに、把持部４を最も大きく回動させた状態で使用する姿勢のまま、台座となる平坦面上に、本体部３を立てた姿勢で、電動除毛器１を載置することができる。
【００４４】
ところで、図９に示すように、把持部４は、両側部４Ｓ１，４Ｓ２と連結部４ＣとによってＵ字状に形成されている。このようにＵ字状を成すことによって、把持部４を本体部３から引き出した状態では、その把持部４の引き出し部分をフックなどに引っ掛けておくことができる。
【００４５】
利用者が体毛を除去する場合には、風呂場等で立ちながら行うこともあるが、このような場合に、体に付着した体毛を払い落として仕上がりを確認するとき等には、一旦、電動除毛器１を手から離すことになる。このような場合に、上記引き出した把持部４をフックなどの突出部に引っ掛けておくで、床面などに放置すること無く、より速やかに作業を再開することができる。
【００４６】
以上、説明したように、本実施形態にかかる電動除毛器１では、本体部３と別体に設けた把持部４を、本体部３に対して長手方向に沿って伸縮するようにスライド可能、かつ回動可能に構成した。このため、利用者が刃ブロック２を皮膚に当てるときに、本体部３および把持部４を使いやすい長さや角度に変化させることができ、電動除毛器１の使い勝手を向上させることができる。
【００４７】
したがって、従来の固定的な電動除毛器では刃ブロック２を当て難かった足先端部や、ふくらはぎ、背中といった部分に対しても、容易に先端部の刃ブロック２を当てることができるようになり、特に、把持部４を伸長させた状態で回動させることによって、背中などの手から遠い部位にあっても刃ブロック２を当てることが可能となる。
【００４８】
また、本実施形態では、把持部４の本体部３に対する回動を、本体部３および把持部４が最も長く伸長した状態でのみ許容するように構成した。このため、刃ブロック２を把持部４から離隔した状態で本体部３と把持部４との相対角度を可変設定することができ、背中等の手から遠い部位にあっても、刃ブロック２を当てて剃毛することが可能となる。また、使用中に把持部４が本体部３に対して相対移動する等の不具合を抑制しやすくなるという利点もある。
【００４９】
また、本実施形態では、本体部３と把持部４とを多段階の角度で相互に係合して各角度で保持可能とする角度調整機構１２を設けた。このため、相対角度を多段階に可変設定できるようになる分、使い勝手をより一層向上することができる。すなわち、利用者の体格や体の柔軟性等に応じて、より使いやすく設定することが可能となる。
【００５０】
また、本実施形態では、本体部３および把持部４に相対回動方向に荷重を作用させることで、相対回動の回動軸Ａｘから相互に係合する部分までの間の少なくとも一部（本実施形態では、クリック板１４）を弾性変形させ、本体部３と把持部４とが相対的に開く方向に角度調整機構１２による係合状態を解除できるようにした。このため、荷重が作用したことにより角度調整機構によって相互に係合する部分が壊れるのを抑制することができる。
【００５１】
特に、本実施形態では、本体部３および把持部４を長手方向に沿って湾曲させて略アーチ状に形成するとともに、その長手方向略中央部に配置される回動基台９に荷重逃がし部１５を設定して、本体部３および把持部４が逆折れ状に相対回動できるようにしたため、この状態で中央部に不意に荷重が作用した場合にあっても、本体部３や把持部４が破壊されるのを抑制することができる。
【００５２】
また、本実施形態では、本体部３のうち先端部に対して長手方向他方側となる部分である底部３Ｂの表面に略平面状の載置面３Ｆを形成するとともに、本体部３と把持部４とを所定角度回動させた状態で当該把持部４の回動軸Ａｘから離間した部分（本実施形態では先端部４Ｔ）の表面を載置面３Ｆに沿う位置に配置して接触部４Ｐを形成し、載置面３Ｆおよび接触部４Ｐを台座となる平坦面上に接触させることで、当該平坦面上に刃ブロック２を上にして本体部３を立てて載置できるようにした。このため、本体部３と把持部４とを相対的に屈曲させた状態で、電動除毛器１を平坦面上に載置することができ、使い勝手がより一層向上することになる。
【００５３】
また、本実施形態では、把持部４は、本体部３の短手方向両側に配置される両側部４Ｓ１，４Ｓ２と、それら両側部４Ｓ１，４Ｓ２の引き出し方向先端側を連結する連結部４Ｃとを有し、それら両側部４Ｓ１，４Ｓ２と連結部４Ｃとが、本体部３の外周に沿う略Ｕ字状に形成されている。このため、把持部４のＵ字状に形成した部分を、フックとして利用できるようになり、使い勝手がより一層向上することになる。
【００５４】
以上、本発明の好適な実施形態について説明したが、本発明は上記実施形態には限定されず、種々の変形が可能である。例えば、載置面３Ｆや接触部４Ｐの形状は配置等は、適宜に変更することができる。また、刃ブロック２にはトリマー刃２Ｔとネット刃２Ｎを設けたが、これに限ることなく、１つの刃のみを設けたものであっても良く、また、その他の刃を設けたものでもよい。
【図面の簡単な説明】
【００５５】
【図１】本発明の一実施形態にかかる電動除毛器の正面図である。
【図２】本発明の一実施形態にかかる電動除毛器の側面図である。
【図３】図１中III−III線に沿った断面図である。
【図４】本発明の一実施形態にかかる電動除毛器の把持部と正面カバーを外した状態を示す正面図である。
【図５】本発明の一実施形態にかかる電動除毛器の把持部と正面カバーを外した状態を示す側面図である。
【図６】本発明の一実施形態にかかる電動除毛器の把持部を最も大きく引き出した状態を示す正面図である。
【図７】本発明の一実施形態にかかる電動除毛器の把持部を最も大きく引き出した状態を示す側面図である。
【図８】図７中VIII−VIII線に沿った断面図である。
【図９】本発明の一実施形態にかかる電動除毛器の把持部の正面図である。
【図１０】図９中X−X線に沿った断面図である。
【図１１】本発明の一実施形態にかかる電動除毛器の角度調整機構の断面図である。
【図１２】本発明の一実施形態にかかる電動除毛器の把持部を最も大きく回動させた状態を示す斜視図である。
【図１３】本発明の一実施形態にかかる電動除毛器の把持部を最も大きく回動させた状態を示す側面図である。
【図１４】本発明の一実施形態にかかる電動除毛器の荷重逃がし部の作動状態での側面図である。
【図１５】本発明の一実施形態にかかる電動除毛器の荷重逃がし部の作動状態での角度調整機構の断面図である。
【符号の説明】
【００５６】
１  電動除毛器
２  刃ブロック（刃部）
３  本体部
３Ｂ  底部
３Ｆ  載置面
４  把持部
４Ｓ１，４Ｓ２  側部
４Ｃ  連結部
４Ｐ  接触部
４Ｔ  先端部
１２  角度調整機構
【図１】
0004613948.tif 000002
【図２】
0004613948.tif 000003
【図３】
0004613948.tif 000004
【図４】
0004613948.tif 000005
【図５】
0004613948.tif 000006
【図６】
0004613948.tif 000007
【図７】
0004613948.tif 000008
【図８】
0004613948.tif 000009
【図９】
0004613948.tif 000010
【図１０】
0004613948.tif 000011
【図１１】
0004613948.tif 000012
【図１２】
0004613948.tif 000013
【図１３】
0004613948.tif 000014
【図１４】
0004613948.tif 000015
【図１５】
0004613948.tif 000016